(57)【特許請求の範囲】
【請求項１】
２つ以上の身体的特徴の認証が可能なホストシステムを含む多重生体認証装置であって、
前記ホストシステムは、
ユーザの生体データを取得する生体データ入力部と、
取得した前記生体データと、予め登録されている前記ユーザの生体データを比較して識別を行う生体データ識別部とを含み、
前記生体データ入力部は、前記ユーザの身体が非接触状態で接近すると、当該身体から複数の生体データの入力を受け、
前記ホストシステムは、１つのモジュールまたはハウジングに収納されるように備えられる構成において、
前記生体データ入力部は、
指紋認証手段と、
前記指紋認証手段から所定の間隔をおいて離隔して位置し、手のひらを撮影できる手のひら静脈認証手段と、
前記手のひら静脈認証手段の一側において、ユーザの親指と人差し指の間に対応する領域に位置する虹彩認証手段及び顔認証手段とを有する
ことを特徴とする、多重生体認証装置。
【請求項２】
前記生体データは、指紋データ、虹彩データ、静脈データ、網膜データ、顔画像データ、掌形データのうちの２つ以上であることを特徴とする、請求項１に記載の多重生体認証装置。
【請求項３】
前記生体データ入力部は、前記ユーザが前記多重生体認証装置から離隔した位置から、前記多重生体認証装置に近接する位置に接近しながら眺めると、前記ユーザの身体から複数の生体データの入力を受けることを特徴とする、請求項１に記載の多重生体認証装置。
【請求項４】
前記指紋認証手段は、各指紋データを取得する複数の指紋認証カメラを有し、
複数の指紋認証カメラのうち第１の指紋認証カメラは、親指を除く他の指のうち所定の数の指の指紋を撮影し、
複数の指紋認証カメラのうち第２の指紋認証カメラは、親指を除く他の指のうち前記第１の指紋認証カメラが撮影できない指の指紋を撮影することを特徴とする、請求項１に記載の多重生体認証装置。
【請求項５】
前記虹彩認証手段及び前記顔認証手段は、パンチルト（ｐａｎ−ｔｉｌｔ）ドライバにより駆動されることを特徴とする、請求項１に記載の多重生体認証装置。
【請求項６】
前記生体データ識別部は、取得した２つ以上の前記生体データを同時に識別できることを特徴とする、請求項１に記載の多重生体認証装置。
【請求項７】
前記ホストシステムは、
前記ユーザの生体データが予め登録されている生体データ登録部と、前記生体データ識別部の識別結果をＩＤで表示するＩＤ表示部とをさらに含むことを特徴とする、請求項１に記載の多重生体認証装置。
【請求項８】
前記生体データ登録部に登録されているユーザの生体データがバックアップされる生体データ保存データベースをさらに含み、
前記ホストシステムが多重生体認証装置から分離されると、前記生体データ登録部に登録されているユーザの生体データが削除され、
前記ホストシステムが多重生体認証装置に再接続されると、前記生体データ保存データベースにバックアップされているユーザの生体データが前記生体データ登録部に復元されることを特徴とする、請求項７に記載の多重生体認証装置。
【請求項９】
前記モジュールまたはハウジングの表面に形成され、前記ユーザの指または手のひらの接近方向を案内する案内ガイドをさらに含むことを特徴とする、請求項１に記載の多重生体認証装置。
【請求項１０】
前記案内ガイドは、視覚または触覚的に指または手のひらの接近方向を案内することを特徴とする、請求項９に記載の多重生体認証装置。
【請求項１１】
２つ以上の身体的特徴の認証が可能な多重生体認証装置であって、
指紋認証手段と、
前記指紋認証手段から所定の間隔をおいて離隔して位置し、手のひらを撮影できる手のひら静脈認証手段と、
前記指紋認証手段及び手のひら静脈認証手段から所定の間隔をおいて離隔して位置し、ユーザの虹彩及び顔画像をそれぞれ撮影する虹彩認証手段及び顔認証手段とを含み、
前記指紋認証手段、手のひら静脈認証手段、虹彩認証手段及び顔認証手段は、１つのハウジングに収納されてモジュール化されている構成において、
前記指紋認証手段は、それぞれ別個の指紋撮影が可能な複数の指紋認証カメラを有し、
前記複数の指紋認証カメラは、隣接して配置され、
前記手のひら静脈認証手段は、前記複数の指紋認証カメラの下側に配置され、
前記虹彩認証手段及び前記顔認証手段は、前記手のひら静脈認証手段の一側面に隣接して配置されることを特徴とする
ことを特徴とする、多重生体認証装置。
【請求項１２】
前記虹彩認証手段及び前記顔認証手段は、隣接して位置し、同一のパンチルトドライバにより駆動されることを特徴とする、請求項１１に記載の多重生体認証装置。
【請求項１３】
前記ハウジングの全部または一部は、
可視光を一部遮断するカラー光学樹脂（ｃｏｌｏｒ  ｏｐｔｉｃａｌ  ｒｅｓｉｎ）層と、
前記カラー光学樹脂層の上面に設けられるハーフミラーコーティング（ｈａｌｆ−ｍｉｒｒｏｒ  ｃｏａｔｉｎｇ）層と、
前記カラー光学樹脂層の下面に設けられるアンチリフレクションコーティング（ａｎｔｉ−ｒｅｆｌｅｃｔｉｏｎ  ｃｏａｔｉｎｇ）層とを含むことを特徴とする、請求項１１に記載の多重生体認証装置。
【請求項１４】
ホストシステムを有する多重生体認証装置と、前記ホストシステムから識別されたユーザを選別して出入りさせるゲートとを含む、出入システムであって、
身体的特徴の認証が可能なホストシステムが、
ユーザの生体データを取得する生体データ入力部と、
取得した前記生体データと、予め登録されている前記ユーザの生体データを比較して識別を行う生体データ識別部とを含み、
前記生体データ入力部は、前記ユーザの身体が非接触状態で接近すると、当該身体から複数の生体データの入力を受け、
前記ホストシステムは、１つのモジュールまたはハウジングに収納されるように備えられる構成において、
前記生体データ入力部は、
指紋認証手段と、
前記指紋認証手段から所定の間隔をおいて離隔して位置し、手のひらを撮影できる手のひら静脈（ｐａｌｍ  ｖｅｉｎ）認証手段と、
前記手のひら静脈認証手段の一側において、ユーザの親指と人差し指の間に対応する領域に位置する虹彩認証手段及び顔認証手段とを有し、
前記ホストシステムは、ユーザの身体が非接触状態で接近すると、当該身体から複数の生体データの入力を受ける生体データ入力部を有することを特徴とする、出入システム。
【請求項１５】
前記ホストシステムは、１つのモジュールまたはハウジングに収納されるように備えられることを特徴とする、請求項１４に記載の出入システム。
【請求項１６】
前記ホストシステムは、指紋データ、虹彩データ、静脈データ、網膜データ、顔画像データ、掌形データのうちの２つ以上の生体データを用いて身体的特徴の認証が可能であることを特徴とする、請求項１４に記載の出入システム。
【発明の詳細な説明】
【技術分野】
【０００１】
本発明は、多重生体認証装置及びそれを含む出入システムに関し、特に複数の生体認証技術を用いて生体データの認証成功率と速度を向上させた多重生体認証装置及びそれを含む出入システムに関する。
【背景技術】
【０００２】
一般に、生体認証技術とは、生きている人間の身体的特徴または行動的特徴を自動化した装置で測定して個人識別手段に活用する技術である。
【０００３】
このような生体認証は、身体的特徴の認証と行動的特徴の認証に分けられる。身体的特徴の認証には、指紋（ｆｉｎｇｅｒｐｒｉｎｔ）認証、顔（ｆａｃｅ）認証、虹彩（ｉｒｉｓ）認証、静脈（ｖｅｉｎ）認証、網膜（ｒｅｔｉｎａ）認証、掌形（ｈａｎｄ  ｇｅｏｍｅｔｒｙ）認証などがあり、行動的特徴の認証には、音声認証、歩行認証、署名認証などがある。
【０００４】
近年では、生体認証の正確度を向上させるために、身体的特徴の認証と行動的特徴の認証を複合して活用することもある。
【０００５】
このような生体認証のうち身体的特徴の認証は、比較的以前から開発が行われており、金融、出入管理、医療福祉、公共、検疫、エンターテイメントなどの様々な分野で既に商用化されてセキュリティ技術として用いられている。
【０００６】
しかしながら、身体的特徴の認証に属する指紋認証、顔認証、虹彩認証、手のひら静脈（ｐａｌｍ  ｖｅｉｎ）認証などが個別に認証システムに適用される場合、次のような利点及び欠点がある。
【０００７】
まず、指紋認証は、高い認証率や１秒以内の速い検証速度などの利点がある。しかしながら、指紋が損傷した場合や、指にケガをしたり、包帯を巻いている場合に、指紋認証が難しいという欠点がある。
【０００８】
顔認証は、ユーザがカメラを用いる違和感が少なく、判読のために自ずと提出することになるユーザの写真により事後追跡が行えるという利点がある。しかしながら、顔認証は、照明や映像の角度に影響されるという欠点がある。また、変装をした場合や、月日の経過により顔が変化したり、成形手術をした場合に、顔認証が難しいという欠点がある。
【０００９】
虹彩認証は、統計学的にＤＮＡ分析よりも正確性が高く、複製がほぼ不可能であり、眼鏡を着用していても認証できるという利点がある。また、虹彩は、外傷や非常にまれな疾病による場合を除いて、一生の間ほとんど変化しないという利点もある。しかしながら、虹彩認証は、認証方法によっては先入観で違和感を持つことがあり、サークルレンズを着用すると認証が難しく、システム構築コストが高価であるという欠点がある。
【００１０】
手のひら静脈認証は、指紋や指のない人も用いることができ、静脈が人体の内部にあるので外傷や老化による変形の可能性が少なく、複製がほぼ不可能であるという利点がある。しかしながら、手の甲の皮膚の背景から静脈が分布した部分を抽出することが容易ではなく、システム構築時にハードウェアの構成が複雑なために小型化が難しく、構築コストが高価であるという欠点がある。
【００１１】
このような利点及び欠点により、認証システムに各生体認証方法を適用することは完璧であるとはいえない。すなわち、１つの生体特徴だけでは、高い性能と信頼性を有するシステムを実現することは困難である。
【００１２】
よって、複数の生体特徴を総合的に認識し、事前登録されているユーザであるか否かを認証できるようにするシステムが求められている。また、このようなシステムを用いることにより発生し得る問題、例えば、システムが複雑になってユーザに不便を及ぼすなどの問題を事前に解決する必要がある。
【発明の概要】
【発明が解決しようとする課題】
【００１３】
本発明は、個別の生体認証技術を融合して同時処理が可能な多重生体認証装置及びそれを含む出入システムを提供することを技術的課題とする。
【００１４】
また、本発明は、ユーザ生体情報の登録または識別過程において発生し得る時間の浪費、不便、心理的違和感などの問題を解決できる多重生体認証装置及びそれを含む出入システムを提供することを他の技術的課題とする。
【００１５】
本発明が解決しようとする技術的課題は、前述した技術的課題に限定されるものではなく、言及していない他の技術的課題は、以下の記載から本発明の属する技術分野における通常の知識を有する者に明確に理解されるであろう。
【課題を解決するための手段】
【００１６】
前記技術的課題を達成するために、本発明の一実施形態は、２つ以上の身体的特徴の認証が可能なホストシステムを含む多重生体認証装置であって、前記ホストシステムは、ユーザの生体データを取得する生体データ入力部と、取得した前記生体データと、予め登録されている前記ユーザの生体データを比較して識別を行う生体データ識別部とを含み、前記生体データ入力部は、前記ユーザの身体が非接触状態で接近すると、当該身体から複数の生体データの入力を受け、前記ホストシステムは、１つのモジュールまたはハウジングに収納されるように備えられることを特徴とする多重生体認証装置を提供する。
【００１７】
本実施形態において、前記生体データは、指紋データ、虹彩データ、静脈データ、網膜データ、顔画像データ、掌形データの少なくとも２つであってもよい。
【００１８】
本実施形態において、前記生体データ入力部は、前記ユーザが前記多重生体認証装置から離隔した位置から、前記多重生体認証装置に近接する位置に接近しながら眺めると、前記ユーザの身体から複数の生体データの入力を受けてもよい。
【００１９】
本実施形態において、前記生体データ入力部は、指紋認証手段と、前記指紋認証手段から所定の間隔をおいて離隔して位置し、手のひらを撮影できる手のひら静脈（ｐａｌｍ  ｖｅｉｎ）認証手段と、前記手のひら静脈認証手段の一側において、ユーザの親指と人差し指の間に対応する領域に位置する虹彩認証手段及び顔認証手段とを有してもよい。
【００２０】
本実施形態において、前記指紋認証手段は、各指紋データを取得する複数の指紋認証カメラを有し、複数の指紋認証カメラのうち第１の指紋認証カメラは、親指を除く他の指のうち所定の数の指の指紋を撮影し、複数の指紋認証カメラのうち第２の指紋認証カメラは、親指を除く他の指のうち前記第１の指紋認証カメラが撮影できない指の指紋を撮影してもよい。
【００２１】
本実施形態において、前記虹彩認証手段及び前記顔認証手段は、パンチルト（ｐａｎ−ｔｉｌｔ）ドライバにより駆動されてもよい。
【００２２】
本実施形態において、前記生体データ識別部は、取得した２つ以上の前記生体データを同時に識別してもよい。
【００２３】
本実施形態において、前記ホストシステムは、前記ユーザの生体データが予め登録されている生体データ登録部と、前記生体データ識別部の識別結果をＩＤで表示するＩＤ表示部とをさらに含んでもよい。
【００２４】
本実施形態において、前記生体データ登録部に登録されているユーザの生体データがバックアップされる生体データ保存データベースをさらに含み、前記ホストシステムが多重生体認証装置から分離されると、前記生体データ登録部に登録されているユーザの生体データが削除され、前記ホストシステムが多重生体認証装置に再接続されると、前記生体データ保存データベースにバックアップされているユーザの生体データが前記生体データ登録部に復元されてもよい。
【００２５】
本実施形態において、前記モジュールまたはハウジングの表面に形成され、前記ユーザの指または手のひらの接近方向を案内する案内ガイドをさらに含んでもよい。
【００２６】
本実施形態において、前記案内ガイドは、視覚または触覚的に指または手のひらの接近方向を案内してもよい。
【００２７】
前記技術的課題を達成するために、本発明の他の実施形態は、２つ以上の身体的特徴の認証が可能な多重生体認証装置であって、指紋認証手段と、前記指紋認証手段から所定の間隔をおいて離隔して位置し、手のひらを撮影できる手のひら静脈認証手段と、前記指紋認証手段及び手のひら静脈認証手段から所定の間隔をおいて離隔して位置し、ユーザの虹彩及び顔画像をそれぞれ撮影する虹彩認証手段及び顔認証手段とを含み、前記指紋認証手段、手のひら静脈認証手段、虹彩認証手段及び顔認証手段は、１つのハウジングに収納されてモジュール化されていることを特徴とする多重生体認証装置を提供する。
【００２８】
本実施形態において、前記虹彩認証手段及び前記顔認証手段は、隣接して位置し、同一のパンチルトドライバにより駆動されてもよい。
【００２９】
本実施形態において、前記指紋認証手段は、それぞれ別個の指紋撮影が可能な複数の指紋認証カメラを有してもよい。
【００３０】
本実施形態において、前記複数の指紋認証カメラは、隣接して配置され、前記手のひら静脈認証手段は、前記複数の指紋認証カメラの下側に配置され、前記虹彩認証手段及び前記顔認証手段は、前記手のひら静脈認証手段の一側面に隣接して配置されてもよい。
【００３１】
本実施形態において、前記ハウジングの全部または一部は、可視光を一部遮断するカラー光学樹脂（ｃｏｌｏｒ  ｏｐｔｉｃａｌ  ｒｅｓｉｎ）層と、前記カラー光学樹脂層の上面に設けられるハーフミラーコーティング（ｈａｌｆ−ｍｉｒｒｏｒ  ｃｏａｔｉｎｇ）層と、前記カラー光学樹脂層の下面に設けられるアンチリフレクションコーティング（ａｎｔｉ−ｒｅｆｌｅｃｔｉｏｎ  ｃｏａｔｉｎｇ）層とを含んでもよい。
【００３２】
前記技術的課題を達成するために、本発明のさらに他の実施形態は、ホストシステムを有する多重生体認証装置と、前記ホストシステムから識別されたユーザを選別して出入りさせるゲートとを含む出入システムであって、前記ホストシステムは、ユーザの身体が非接触状態で接近すると、当該身体から複数の生体データの入力を受ける生体データ入力部を有することを特徴とする出入システムを提供する。
【００３３】
本実施形態において、前記ホストシステムは、１つのモジュールまたはハウジングに収納されるように備えられてもよい。
【００３４】
本実施形態において、前記ホストシステムは、指紋データ、虹彩データ、静脈データ、網膜データ、顔画像データ、掌形データのうちの２つ以上の生体データを用いて身体的特徴の認証が可能であってもよい。
【００３５】
前記技術的課題を達成するために、本発明のさらに他の実施形態は、２つ以上の身体的特徴の認証が可能な多重生体認証装置であって、指紋認証手段、手のひら静脈認証手段、虹彩認証手段及び顔認証手段のうちの２つ以上の手段を含み、前記２つ以上の手段は、１つのハウジングに収納されてモジュール化されており、前記ハウジングは、ユーザから生体情報を受信する側に配置される上部部材と、前記上部部材と直接または他の部材を介して間接的に結合する下部部材とを含み、前記上部部材は、可視光を一部遮断するカラー光学樹脂（ｃｏｌｏｒ  ｏｐｔｉｃａｌ  ｒｅｓｉｎ）層と、前記カラー光学樹脂層の上面に設けられるハーフミラーコーティング（ｈａｌｆ−ｍｉｒｒｏｒ  ｃｏａｔｉｎｇ）層と、前記カラー光学樹脂層の下面に設けられる第１のアンチリフレクションコーティング（ａｎｔｉ−ｒｅｆｌｅｃｔｉｏｎ  ｃｏａｔｉｎｇ）層とを含むことを特徴とする多重生体認証装置を提供する。
【００３６】
本実施形態において、前記上部部材の外側から前記上部部材を通過して前記上部部材の内側に入射する可視光の入射量ａと、前記上部部材の内側から前記上部部材により反射して前記上部部材の内側に入射する可視光の反射量ｂの比（ｂ／ａ）は、３０％以下であってもよい。
【００３７】
本実施形態において、前記上部部材は、前記カラー光学樹脂層と前記ハーフミラーコーティング層間に設けられる第２のアンチリフレクションコーティング層をさらに含んでもよい。
【００３８】
本実施形態において、前記ハーフミラーコーティング層の上面に硬化コーティング層または指紋防止コーティング層がさらに設けられてもよい。
【発明の効果】
【００３９】
本発明の実施形態は、独立した生体認証技術を融合することにより、複数の生体認証及び識別を同時に行うことのできる多重生体認証装置及びそれを含む出入システムを提供することができる。また、審美的に優れ、ユーザに優しいユーザインタフェースをもたらす多重生体認証装置及びそれを含む出入システムを提供することができる。
【００４０】
本発明の実施形態によれば、生体データの登録及び識別過程における時間の浪費や不便を減らし、生体認証過程における心理的違和感を減らすことができる。特に、生体情報認証率が高く、かつその内部装置がユーザには見えないのでユーザの違和感や不快感が低減した多重生体認証装置を提供することができる。
【００４１】
本発明の効果は、これらに限定されるものではなく、本発明の詳細な説明又は特許請求の範囲に記載されている発明の構成から推論できるあらゆる効果が含まれるものと理解されるべきである。
【図面の簡単な説明】
【００４２】
【図１】ユーザがゲートを通過するために多重生体認証装置に接近して認証が行われている状態を示す図である。
【図２】本発明の一実施形態による多重生体認証装置におけるホストシステムの構成図である。
【図３】本発明の一実施形態による多重生体認証装置の分解斜視図である。
【図４】本発明の一実施形態による多重生体認証装置の結合斜視図である。
【図５】本発明の一実施形態による多重生体認証装置のハウジングの概略断面図である。
【図６】図５のハウジングにおける光の入射及び反射を示す説明図である。
【図７】図５のハウジングにコーティング層が追加された状態を示す概略断面図である。
【図８】本発明の他の実施形態による多重生体認証装置の結合斜視図である。
【発明を実施するための形態】
【００４３】
以下、添付図面を参照して本発明について説明する。しかしながら、本発明は、様々な異なる形態で実現され得るので、以下に説明する実施形態に限定されるものではない。また、図面において、本発明を明確に説明するために説明に関係のない部分は省略し、明細書全体を通して類似の部分には類似の符号を付した。
【００４４】
明細書全体を通して、ある一部分が他の部分と「連結（接続、接触、結合）」されているという場合、それには「直接連結」されているものだけでなく、その間にさらに他の部材を介して「間接的に連結」されているものも含まれる。また、ある一部分がある構成要素を「含む」という場合、それは特に断らない限り他の構成要素を除外するものではなく、他の構成要素をさらに備えてもよいことを意味するものである。
【００４５】
本発明に用いられる用語は、単に特定の実施形態について説明するために用いられるものであり、本発明を限定しようとする意図はない。単数の表現には、文脈からみて明らかに他の意味を有さない限り、複数の言い回しを含む。本発明における「含む」、「有する」などの用語は、明細書に記載されている特徴、数字、ステップ、動作、構成要素、部品またはそれらの組み合わせが存在することを示すためのものであり、１つまたはそれ以上の他の特徴、数字、ステップ、動作、構成要素、部品またはそれらの組み合わせの存在または付加可能性を予め排除するものではないことを理解すべきである。
【００４６】
以下、添付図面を参照し、本発明の実施形態について詳細に説明する。本実施形態は、説明の便宜のために、ゲート（出入セキュリティゲート）を通過するために用いられる多重生体認証装置について説明するが、これに限定されるものではなく、セキュリティに関するあらゆるシステムに適用することができる。
【００４７】
図１は、ユーザがゲートを通過するために多重生体認証装置に接近して認証が行われている状態を示す図である。ここで、多重生体認証装置１００は、２つ以上の身体的特徴の認証が可能なホストシステムを含む装置であり、それについての詳細は後述する。
【００４８】
図１に示すように、本発明による多重生体認証装置１００は、ユーザ１の身体が非接触状態で接近すると、ユーザ１の識別を行うことのできる装置である。また、ユーザ１が外部から非接触状態で接近しながら多重生体認証装置１００を眺めると、ユーザ１の識別が行われる。
【００４９】
多重生体認証装置１００によるユーザ認証及び識別過程を通過すると、ユーザ１はゲート７００を通過することができる。ゲート７００は、スイング（ｓｗｉｎｇ）ドア、スライディングドアなどの様々な形態で実現され、その構造及び形状は特に限定されるものではない。図１に示す案内ガイド１８０については後述する。
【００５０】
本発明において、ユーザの身体が「非接触状態で接近」するとは、ユーザの身体、例えば指や手のひら、または顔が多重生体認証装置１００から離隔した位置から、多重生体認証装置１００に近接する位置に接近するものの、ユーザの身体が多重生体認証装置１００に接触していないことを意味する。すなわち、本発明による多重生体認証装置１００が提供するユーザエクスペリエンス（ｕｓｅｒ  ｅｘｐｅｒｉｅｎｃｅ）には、認証や識別を行うためにユーザの身体を多重生体認証装置１００に必ず接触させたり、ユーザの指や手のひらをスロット内で回転（ｓｗｉｎｇ）させたりする動作が含まれない。
【００５１】
ユーザ１がゲート７００を通過するためには、ユーザ１が多重生体認証装置１００によりユーザ自身であると認証されなければならない。そのために、ユーザ１は、自分の生体情報を多重生体認証装置１００に提供し、多重生体認証装置１００は、ユーザ１から取得した生体データを予め登録されているユーザ１の生体データと比較して識別を行う。
【００５２】
ユーザ１は、多重生体認証装置１００に自分の生体情報を提供するために、例えば自分の指または手のひらを多重生体認証装置１００に接近させながら多重生体認証装置１００を眺める。すなわち、ユーザ１がこのような行為を行う間に、多重生体認証装置１００内に装着されているホストシステム１０００の生体データ入力部１１００は、ユーザ１の生体データを取得する。ホストシステム１０００については、図２を参照してより詳細に説明するので、ここではその機能のみ概略的に説明する。
【００５３】
ホストシステム１０００の生体データ入力部１１００は、外部から接近してくるユーザ１の指または手のひらから生体データ（指紋データまたは手のひら静脈（ｐａｌｍ  ｖｅｉｎ）データ）を取得することができる。また、生体データ入力部１１００は、外部から接近しながら眺めるユーザ１の虹彩または顔から生体データ（虹彩データまたは顔画像データ）を取得することができる。
【００５４】
すなわち、生体データ入力部１１００は、ユーザ１の生体データのうちの２つ以上を取得することができる。例えば、生体データ入力部１１００は、指紋データ、静脈データ（例えば、手のひら静脈データ）、虹彩データ及び顔画像データのうちの２つ以上を取得することができる。
【００５５】
通常、ユーザ１の生体データを取得するのにかかる時間は、顔認証が最も速く、次に虹彩認証または指紋認証が中程度であり、静脈認証が最も遅い。しかしながら、このように各生体データを取得するのにかかる時間の差は非常に小さいので、ユーザ１は、各生体データがほぼ同時に認証されると感じる。
【００５６】
一方、ホストシステム１０００の生体データ識別部１３００は、前述したように取得したユーザ１の生体データと、予め登録されているユーザ１の生体データを比較して識別を行う。ここで、生体データ識別部１３００は、取得した２つ以上の生体データを同時に識別することができる。当然ながら、予め登録されているユーザ１の各生体データの種類や量によって識別にかかる時間に差が生じる。また、生体データ識別部１３００は、各生体データのうち先に識別が完了した生体データからセキュリティ管理者が確認できるように、ディスプレイなどによって外部に表示することもできる。
【００５７】
多重生体認証装置１００は、複数の生体データの入力を受けるので、様々な出入許容条件を設定することができる。例えば、２つ以上の生体データのうち先に認証及び識別が完了したいずれかの生体データに基づいて出入を許容するようにしてもよい。この場合、出入を速く許容することができる。
【００５８】
それとは異なり、２つ以上の生体データの全ての認証及び識別が完了してから出入を許容するようにしてもよい。この場合、セキュリティ条件が強化され、誤認証による出入許容やセキュリティ事故の確率が低くなる。
【００５９】
前述した２つのケースを適宜組み合わせた出入許容条件の設定も可能である。例えば、データの正確性、安定性、セキュリティ性が高い静脈（手のひら静脈）や虹彩による認証及び識別が完了した場合は、それらの１つの生体データのみに基づいて出入を許容するようにしてもよく、それとは異なり、データの正確性、安定性が比較的低い顔画像による認証及び識別が完了した場合は、他の生体データ、例えば指紋や虹彩による認証／識別も共に要求し、セキュリティ性を向上させる方法も可能である。それ以外にも、セキュリティ要求レベルや識別速度などを考慮して、様々な出入許容条件を設定することができる。
【００６０】
次に、本発明の実施形態によるホストシステム１０００の構成について詳細に説明する。図２は、本発明の一実施形態による多重生体認証装置におけるホストシステムの構成図である。
【００６１】
図２に示すように、本発明による多重生体認証装置１００のホストシステム１０００は、生体データ入力部１１００と、生体データ登録部１２００と、生体データ識別部１３００とを含む。また、ホストシステム１０００は、ＩＤ表示部１４００と、制御部１５００とをさらに含む。
【００６２】
生体データ入力部１１００は、ユーザ１の生体データを取得する。生体データは、例えば指紋データ、虹彩データ、静脈データ、網膜データ、顔画像データまたは掌形データであり、生体データ入力部１１００には、前記生体データのうちの２つ以上が入力される。
【００６３】
生体データ入力部１１００は、顔認証手段１１１０と、虹彩認証手段１１２０と、指紋認証手段１１３０と、手のひら静脈認証手段１１４０とを有する。
【００６４】
指紋認証手段１１３０は、物理的に多重生体認証装置１００の上面上側に位置する。手のひら静脈認証手段１１４０は、指紋認証手段１１３０から所定の間隔をおいて離隔して位置する。また、虹彩認証手段１１２０及び顔認証手段１１１０は、手のひら静脈認証手段１１４０の一側において、ユーザの親指と人差し指の間に対応する領域に位置する。
【００６５】
さらに、指紋認証手段１１３０は、各指紋データを取得する複数の指紋認証カメラを有し、それら複数の指紋認証カメラは、隣接して配置される。手のひら静脈認証手段１１４０は、複数の指紋認証カメラの下側に配置され、虹彩認証手段１１２０及び顔認証手段１１１０は、手のひら静脈認証手段１１４０の一側面に隣接して配置される。これについては図３に示すが、詳細は後述する。
【００６６】
顔認証手段１１１０は、顔画像データを認識するものであり、例えば、図３に示す顔認証カメラ４００により撮影された画像データを認識する手段である。すなわち、顔認証手段１１１０は、顔認証カメラ４００自体であってもよく、それとは異なり、顔認証カメラ４００を含むモジュールであってもよい。例えば、顔認証手段１１１０は、顔認証カメラ４００と、その顔認証カメラ４００により撮影された画像データを処理するプロセッサ（図示せず）とを含むモジュールであってもよい。
【００６７】
虹彩認証手段１１２０は、虹彩データを認識するものであり、例えば、図３に示す虹彩認証カメラ５００により撮影された虹彩データを認識する手段である。すなわち、虹彩認証手段１１２０は、虹彩認証カメラ５００自体であってもよく、それとは異なり、虹彩認証カメラ５００を含むモジュールであってもよい。例えば、虹彩認証手段１１２０は、虹彩認証カメラ５００と、その虹彩認証カメラ５００により撮影された画像データを処理するプロセッサ（図示せず）とを含むモジュールであってもよい。
【００６８】
指紋認証手段１１３０は、指紋データを認識するものであり、例えば、図３に示す複数の指紋認証カメラ２００により撮影された指紋データを認識する手段である。すなわち、指紋認証手段１１３０は、各指紋データを取得する複数の指紋認証カメラ２００であってもよく、それとは異なり、複数の指紋認証カメラ２００を含むモジュールであってもよい。例えば、指紋認証手段１１３０は、指紋認証カメラ２００と、その指紋認証カメラ２００により撮影された画像データを処理するプロセッサ（図示せず）とを含むモジュールであってもよい。
【００６９】
手のひら静脈認証手段１１４０は、手のひら静脈データを認識するものであり、例えば、図３に示す手のひら静脈認証カメラ３００により撮影された手のひら静脈データを認識する手段である。すなわち、手のひら静脈認証手段１１４０は、手のひら静脈認証カメラ３００自体であってもよく、それとは異なり、手のひら静脈認証カメラ３００を含むモジュールであってもよい。例えば、手のひら静脈認証手段１１４０は、手のひら静脈認証カメラ３００と、その手のひら静脈認証カメラ３００により撮影された画像データを処理するプロセッサ（図示せず）とを含むモジュールであってもよい。
【００７０】
本実施形態においては、説明の便宜のために、生体データ入力部１１００が顔認証手段１１１０と、虹彩認証手段１１２０と、指紋認証手段１１３０と、手のひら静脈認証手段１１４０とを含むものについて説明するが、これに限定されるものではなく、生体データ入力部１１００が他の生体認証手段を有してもよい。例えば、生体データ入力部１１００は、指静脈認証手段、網膜認証手段または掌形認証手段を有してもよい。
【００７１】
また、図２に示すように、生体データ登録部１２００には、ユーザ１の生体データが予め登録されている。
【００７２】
生体データ識別部１３００は、生体データ入力部１１００から取得した生体データと、生体データ登録部１２００に予め登録されているユーザ１の生体データを比較して識別を行う。
【００７３】
ＩＤ表示部１４００は、生体データ識別部１３００が識別したユーザ１の生体データに対する識別結果をＩＤで表示する。このようなＩＤ表示部１４００の識別結果は、セキュリティ管理者またはユーザ１が確認する。
【００７４】
制御部１５００は、生体データ入力部１１００、生体データ登録部１２００、生体データ識別部１３００及びＩＤ表示部１４００に接続されており、これらが各動作を行うように指示する役割を果たす。
【００７５】
以下、本発明による多重生体認証装置１００を用いた生体データの登録、認証及び識別過程について説明する。
【００７６】
まず、ユーザまたは管理者は、多重生体認証装置１００にユーザ１の生体データを登録しなければならない。ユーザ１の生体データ登録は、基本的にユーザ１の特徴を抽出して保存する行為である。このようにして取得したユーザ１の全ての生体データは、生体データ登録部１２００に保存される。生体データ登録部１２００に登録されているユーザ１の全ての生体データは、データの保存のために、生体データ保存データベース２０００にバックアップされる。多重生体認証装置１００のホストシステム１０００と生体データ保存データベース２０００は、有線または無線で接続される。生体データ保存データベース２０００についての詳細は後述する。
【００７７】
次に、ユーザ１がゲートを通過するためには、ユーザ本人であることを証明しなければならない。そのために、ユーザ１は生体データ入力部１１００に自分の生体データを入力する。
【００７８】
生体データ入力部１１００にユーザ１の生体データが入力されると、生体データ識別部１３００は、入力されたユーザ１の生体データと、生体データ登録部１２００に登録されているユーザ１の生体データを比較してユーザ本人かどうかを識別する。ここで、生体データ識別部１３００は、１対１マッチングにより本人であることを確認する認証（ｖｅｒｉｆｉｃａｔｉｏｎ）を行うこともでき、１対Ｎマッチングにより大勢の人の中からユーザ１を探し出す識別（ｉｄｅｎｔｉｆｉｃａｔｉｏｎ）を行うこともできる。すなわち、厳密には認証と識別は別個のものであり、応用領域によって選択的に用いられるものである。しかしながら、本発明における「認証」または「識別」とは、生体データを用いて本人であることを確認するか、または探し出す過程をまとめて意味するものであり、広義に解釈されるものである。ただし、本実施形態においては、生体データ識別部１３００が１人のユーザと複数のユーザをマッチングする１対Ｎマッチングにより識別を行うものとして説明した。
【００７９】
生体データ登録部１２００に保存されているデータは、ユーザ１の複数の生体データの全てを登録したデータであり、生体データ入力部１１００には、ユーザ１の複数の生体データのうち所定の数以上のデータが入力される。
【００８０】
より詳細には、生体データ入力部１１００からユーザ１の生体データが入力されると、生体データ識別部１３００は、この生体データと、生体データ登録部１２００に登録されている複数のユーザの生体データを識別する。ここで、生体データ入力部１１００に入力されるユーザ１の生体データは、複数の生体データである。すなわち、ユーザ１の生体データは、虹彩データ、顔画像データ、指紋データ及び手のひら静脈データのうちの２つ以上である。よって、生体データ識別部１３００は、生体データ入力部１１００に入力されるユーザ１の生体データの数に応じて、生体データ登録部１２００に登録されている複数の生体データとそれぞれ識別を行う。
【００８１】
例えば、生体データ入力部１１００に入力されるユーザ１の生体データが虹彩データまたは指紋データである場合、生体データ識別部１３００は、生体データ登録部１２００に登録されている複数のユーザの虹彩データまたは指紋データを用いてそれぞれ識別を行う。当然ながら、設定によっては、生体データ入力部１１００に入力されるユーザ１の生体データが１つまたは３つ以上である場合、生体データ識別部１３００は、入力されるユーザ１の生体データの数に合わせて、生体データ登録部１２００に登録されている複数の生体データとそれぞれ識別を行う。
【００８２】
このような識別の実行結果は、本ホストシステム１０００のＩＤ表示部１４００によって表示される。このＩＤ表示部１４００は、ユーザ１の複数の生体データのうち完了した生体データの識別結果から順に表示する。
【００８３】
例えば、生体データ識別部１３００が虹彩データ、顔画像データ及び指紋データの識別を行うと仮定する。ここで、生体データの識別が顔画像データ、指紋データ、虹彩データの順に完了した場合、ＩＤ表示部１４００は、顔画像データ、指紋データ、虹彩データの順に識別結果を表示する。
【００８４】
一方、前述した３つの識別結果（虹彩、顔、指紋）の全ては成功せずに１つまたは２つだけ成功したとしても、設定によってはユーザ１の識別に成功したと表示するようにしてもよい。また、３つの識別結果が全て成功しないか、または３つの識別結果のうち一部の識別に成功しなかった場合、設定によってはユーザ１の識別に失敗したと表示するようにしてもよい。このように様々な出入条件を設定できることは前述した通りである。
【００８５】
また、図２に示すように、本実施形態によるホストシステム１０００は、生体データ登録部１２００に登録されているデータがバックアップされる生体データ保存データベース２０００をさらに含んでもよい。人為的な過失や、ハードウェアの不具合、ソフトウェアの不具合、盗難、コンピュータウイルス、サイバーテロ、災害などの問題が生じた場合、生体データ登録部１２００に登録されているユーザ１の生体情報が損失することがある。よって、生体データ登録部１２００のデータは、生体データ保存データベース２０００に定期的にバックアップされるように設定する。
【００８６】
このように生体データ登録部１２００のデータがバックアップされる生体データ保存データベース２０００には、タンパープロテクション（ｔａｍｐｅｒ  ｐｒｏｔｅｃｔｉｏｎ）機能が用いられる。すなわち、ホストシステム１０００が多重生体認証装置１００から分離されると、生体データ登録部１２００に登録されているデータが全て削除される。逆に、ホストシステム１０００が前記コントローラに再接続されると、生体データ保存データベース２０００にバックアップされていたデータが生体データ登録部１２００に復元される。これは、ホストシステム１０００がゲート７００のコントローラから分離されるか、あるいは再接続される場合も同様に適用される。
【００８７】
よって、本発明によるホストシステム１０００を含む多重生体認証装置１００が盗難などの理由で紛失しても、個人情報である生体データの流失を防止することができる。すなわち、本発明による多重生体認証装置１００の内部に存在するホストシステム１０００が多重生体認証装置１００から分離されるか、またはゲート７００のコントローラから分離されると、生体データ登録部１２００に登録されているデータが全て削除されるので、ユーザの生体データが流出するという問題を事前に防止することができる。また、分離された多重生体認証装置１００のホストシステム１０００が再びゲート７００のコントローラに接続されると、生体データ保存データベース２０００にバックアップされていたデータが全て生体データ登録部１２００に復元されるので、過失または修理、管理などのために多重生体認証装置１００をゲート７００から分離した後で再接続する場合も、生体データを再入力する手間が省ける。
【００８８】
次に、図面を参照して、本発明による多重生体認証装置の具体的な実施形態について説明する。図３は、本発明の一実施形態による多重生体認証装置の分解斜視図であり、図４は、本発明の一実施形態による多重生体認証装置の結合斜視図である。
【００８９】
図面には、内部が中空であり、球状のハウジングを有する多重生体認証装置１００を示す。しかしながら、本発明による多重生体認証装置１００は、球状のハウジングに限定されるものではなく、様々な形状のハウジングを有する。
【００９０】
本発明による多重生体認証装置１００またはホストシステム１０００は、１つのモジュールまたはハウジングに収納されるように備えられる。ここで、「１つのモジュールまたはハウジングに収納」されるとは、複数の生体データを認識する手段がそれぞれ別個のモジュールまたはハウジングに収納され、生体データの認証がそれぞれ別個の装置で行われるか、あるいは生体データの認証手段の設定や位置調整が個別に行われるのではないことを意味する。すなわち、複数の生体データを認識する手段が１つの装置内に設けられてモジュール化されていることを意味する。ここで、モジュールまたはハウジングは、一体型に設けられてもよく、それとは異なり、複数の外被（または部材）が結合されたものであってもよい。
【００９１】
換言すると、指紋認証手段、手のひら静脈認証手段、虹彩認証手段及び顔認証手段は、１つのハウジングに収納されてモジュール化されてもよく、その技術的意味は前述した通りである。
【００９２】
図３に示すように、本発明による多重生体認証装置１００は、６つの外被が結合されて形成される。すなわち、多重生体認証装置１００の外被は、前面部材１１０、背面部材１２０、両側に位置する２つの側面部材１３０、上部部材１４０及び下部部材１５０からなる。このような６つの部材を結合することにより、内部が中空の球状のハウジングが設けられる。
【００９３】
２つの側面部材１３０は、背面部材１２０から着脱可能に設置される。システム管理者は、側面部材１３０を開放することにより、多重生体認証装置１００の内部でのホストシステム１０００または生体認証モジュールの装着やメインテナンスを容易に行うことができる。
【００９４】
上部部材１４０は、ユーザの利便性（接近性）を考慮して、垂直方向から所定の角度で傾いた領域に取り付けられる。よって、ユーザ１が指または手のひらを多重生体認証装置１００に向かって接近させる際に、より楽な姿勢を維持することができる。また、上部部材１４０は、ハーフミラー（ｈａｌｆ  ｍｉｒｒｏｒ）で形成される。上部部材１４０の構造については後述する。
【００９５】
下部部材１５０は、中心部位に第１の貫通孔１５１を有する。この第１の貫通孔１５１は、多重生体認証装置１００とゲート７００のコントローラを接続するために設けられる。前面部材１１０及び背面部材１２０は、全体的に球状のハウジング形状を示す。下部部材１５０を除く前面部材１１０、背面部材１２０、両側面部材１３０、上部部材１４０は、リング状の固定部材１６０によって固定される。
【００９６】
また、垂直方向から所定の角度で傾いた領域に位置する上部部材１４０の一側には、複数の第２の貫通孔１４１、１４２が設けられる。このような複数の第２の貫通孔１４１、１４２には、それぞれ指紋認証カメラ２００が挿入される。複数の第２の貫通孔１４１、１４２は、第２−１の貫通孔１４１と、第２−２の貫通孔１４２とからなる。第２−１の貫通孔１４１に挿入される第１の指紋認証カメラ２１０は、親指を除く他の指のうち所定の数の指の指紋を撮影し、第２−２の貫通孔１４２に挿入される第２の指紋認証カメラ２２０は、親指を除く他の指のうち第１の指紋認証カメラ２１０が撮影できない指の指紋を撮影する。
【００９７】
例えば、第１の指紋認証カメラ２１０がユーザ１の第２指の指紋、第３指の指紋及び第４指の指紋を撮影する場合、第２の指紋認証カメラ２２０は、ユーザ１の第５指の指紋を撮影する。それとは異なり、第１の指紋認証カメラ２１０がユーザ１の第２指の指紋だけ撮影し、第２の指紋認証カメラ２２０がユーザ１の第３指、第４指、第５指の指紋を撮影するようにしてもよい。あるいは、第１の指紋認証カメラ２１０と第２の指紋認証カメラ２２０がユーザ１の指紋をそれぞれ２つずつ撮影するようにしてもよい。すなわち、指紋認証カメラ２００がユーザ１の親指を除く残りの４本の指の指紋を同時に撮影するようにしてもよい。ここで、指紋認証カメラ２００によるユーザ１の指紋の撮影は、ユーザ１の指が多重生体認証装置１００に接触しない非接触（ｔｏｕｃｈｌｅｓｓ）方式で行われる。同様に、手のひら静脈認証カメラ３００によるユーザ１の手のひら静脈データの撮影も、ユーザ１の手のひらが多重生体認証装置１００に接触しない非接触方式で行われる。
【００９８】
ユーザが外部から上部部材１４０を見る方向を基準に、指紋認証カメラ２００の下部には、所定の間隔をおいて手のひら静脈認証カメラ３００が位置する。自分の生体データを多重生体認証装置１００の生体データ入力部１１００に入力させるために、ユーザ１は自分の手のひらを多重生体認証装置１００に接近させるが、ユーザ１が自分の指を多重生体認証装置１００の指紋認証カメラ２００に接近させると、ユーザ１の手のひらは手のひら静脈認証カメラ３００に対向する位置に自動的に整列される。また、手のひら静脈認証カメラ３００の一側の上部と下部には、虹彩認証カメラ５００と顔認証カメラ４００がそれぞれ位置する。虹彩認証カメラ５００または顔認証カメラ４００は、ユーザ１の親指と人差し指の間でユーザ１の虹彩と顔をそれぞれ撮影する。本明細書においては、虹彩認証カメラ５００が顔認証カメラ４００の上方に位置するが、これに限定されるものではなく、顔認証カメラ４００と虹彩認証カメラ５００の位置が交換されてもよい。一方、虹彩認証カメラ５００または顔認証カメラ４００の代わりに他の生体認証カメラ（例えば、網膜認証カメラ）が位置するようにしてもよい。
【００９９】
虹彩認証カメラ５００と顔認証カメラ４００は、パンチルト（ｐａｎ−ｔｉｌｔ）ドライバ６００によって駆動される。すなわち、虹彩認証カメラ５００と顔認証カメラ４００は、パンチルトドライバ６００により駆動されて左右方向または上下方向に移動または回転しながら、ユーザ１の虹彩または顔をそれぞれ撮影する。このような物理的移動により、パンチルトドライバ６００が機械的な（非光学的な）ズームイン及びズームアウト機能を実現することができるので、虹彩認証カメラ５００または顔認証カメラ４００は、ユーザ１の虹彩の大きさまたは顔の大きさを調整するか、またはフォーカシングして撮影することができる。当然ながら、虹彩認証カメラ５００または顔認証カメラ４００は、光学的なズームイン及びズームアウト機能を有してもよく、故にパンチルトドライバによる非光学的なズームイン／ズームアウト機能と同時にまたは別個に実現されるようにしてもよい。
【０１００】
前述したような構成によれば、ユーザ１は、虹彩認証カメラ５００または顔認証カメラ４００にユーザ１自身の虹彩または顔をそれぞれ接近させて認証を受ける必要がない。すなわち、パンチルトドライバ６００により、虹彩認証カメラ５００または顔認証カメラ４００は、距離に関係なくユーザ１の虹彩または顔を常に一定の大きさで撮影することができる。また、虹彩認証カメラ５００と顔認証カメラ４００は、隣接して位置するので、同一のパンチルトドライバ６００により駆動される。それとは異なり、図示されていないが、虹彩認証カメラ５００と顔認証カメラ４００がそれぞれ別個のパンチルトドライバにより個別駆動されるようにしてもよい。
【０１０１】
上部部材１４０と固定部材１６０の間には、リング状の光源１７０が装着される。このような光源１７０は、装飾的または審美的効果と共に、ユーザ１の指または手のひらを誘導する機能的効果を有する。
【０１０２】
図４に示すように、多重生体認証装置１００の上部部材１４０の表面には、案内ガイド１８０が設けられる。案内ガイド１８０は、ユーザの指または手のひらの接近方向を案内し、例えば、視覚または触覚的に指または手のひらの接近方向を案内する。
【０１０３】
本発明の実施形態による多重生体認証装置１００は、ユーザ１の指または手のひらが外部から非接触状態で接近するとユーザ１の識別が行われる装置であり、またユーザ１が外部から接近しながら多重生体認証装置１００を眺めるとユーザ１の識別が行われる装置である。よって、ユーザ１の指及び手のひらが多重生体認証装置１００に容易に接近できなければならない。このような接近案内のために、案内ガイド１８０が設けられる。
【０１０４】
案内ガイド１８０は、例えば、光源により指や手のひらの形が表示されるものであるが、これらの形に限定されるものでないことは言うまでもない。また、案内ガイド１８０は、透明インキによって表示されるようにしてもよい。
【０１０５】
他の例として、別の色で手のひらの形を表示するか、あるいは突出部／凹部などの構造を設けてもよい。また、空気排出部を設け、ユーザが風を検知して多重生体認証装置１００に接近するように誘導してもよい。
【０１０６】
以下、ハウジングの断面構造について説明する。図５は、本発明の一実施形態による多重生体認証装置のハウジングの概略断面図であり、図６は、図５のハウジングにおける光の入射及び反射を示す説明図であり、図７は、図５のハウジングにコーティング層が追加された状態を示す概略断面図である。
【０１０７】
本発明の実施形態において、ハウジングの全部または一部は、カラー光学樹脂（ｃｏｌｏｒ  ｏｐｔｉｃａｌ  ｒｅｓｉｎ）層と、ハーフミラーコーティング（ｈａｌｆ−ｍｉｒｒｏｒ  ｃｏａｔｉｎｇ）層と、アンチリフレクションコーティング（ａｎｔｉ−ｒｅｆｌｅｃｔｉｏｎ  ｃｏａｔｉｎｇ）層とを含む多層断面構造からなる。
【０１０８】
図３に示すように、ハウジングは、例えば、６つの部材が結合されて内部が中空の構造で設けられ、このようなハウジングの一部部材、例えば上部部材１４０は、前述した多層断面構造からなる。図５に示すように、上部部材１４０は、可視光を一部遮断するカラー光学樹脂層１４０１と、このカラー光学樹脂層１４０１の上面に設けられるハーフミラーコーティング層１４０２と、カラー光学樹脂層１４０１の下面に設けられるアンチリフレクションコーティング層１４０３とを含む。ここで、上面とは、ユーザに接する側を意味する。
【０１０９】
カラー光学樹脂層１４０１は、入射する可視光を所定量遮断する機能を有し、樹脂（レジン）基材に着色効果が得られる高分子組成物（顔料）を含ませて硬化させるか、あるいは樹脂基材に着色蒸着する方法で成形を行う。
【０１１０】
ハーフミラーコーティング層１４０２は、入射する可視光の一部を反射させる機能を有し、誘電体多層薄膜または金属膜コーティングによって形成される。
【０１１１】
誘電体多層薄膜は、高誘電率層と低誘電率層を積層することにより成形され、例えば、ＳｉＯ、ＳｉＯ２、ＺｒＯ２、ＴｉＯ２などの誘電体酸化物が挙げられる。金属膜は、例えば、Ｃｒ薄膜を蒸着することにより成形され、Ｃｒ薄膜の上下面に誘電体薄膜を追加してＣｒ薄膜の保護層の役割を果たすようにしてもよい。
【０１１２】
ハーフミラーコーティング層１４０２は、真空蒸着、スパッタ、蒸発コーティング、スピンコーティングなどの方法で形成されるが、特にこれらの製造方法に限定されるものではない。
【０１１３】
アンチリフレクションコーティング層１４０３は、上部部材１４０の内側に反射する可視光を減少させることにより、ハウジングに内蔵された顔認証カメラ４００または虹彩認証カメラ５００にカメラ自体が映り込むといった副作用を抑制する。
【０１１４】
アンチリフレクションコーティング層１４０３は、例えば、ＳｉＯ、ＳｉＯ２、Ｓｉ３Ｎ４、ＴｉＯ２、ＺｒＯ２、Ａ１２Ｏ３、ＭｇＦ２、Ｔａ２Ｏ５またはそれらの混合物からなる誘電体物質の単一層または複合層フィルムで構成されるが、これらの物質に限定されるものではない。
【０１１５】
上部部材１４０は、前述したような多層コーティング層を含むので、ユーザには多重生体認証装置１００の内部（特に、カメラ）が見えないようにし、心理的違和感や抵抗感が生じないようにすることができると同時に、光量はある程度減少するが、カメラによる生体情報認証率は大幅に減少しないようにすることができる。
【０１１６】
上部部材１４０の外側から上部部材１４０を通過して上部部材１４０の内側に入射する可視光の入射量（ａ）と、上部部材１４０の内側から上部部材１４０により反射して上部部材１４０の内側に入射する可視光の反射量（ｂ）の比（ｂ／ａ）は、３０％以下である。入射量と反射量の比（ｂ／ａ）が３０％を超えると、内部反射により、ハウジングに内蔵されたカメラがユーザ（顔や虹彩など）を撮像する際に内部部材（カメラなど）も共に撮像されるので、生体情報が認証されないか、あるいは認証率が低くなるという問題が生じる。
【０１１７】
図６に示すように、例えば、上部部材１４０のカラー光学樹脂層１４０１が５０％の可視光減衰率を有し、ハーフミラーコーティング層１４０２が２０％の可視光反射率を有する場合、上部部材１４０の外部から内側に入射する可視光の入射量ａは３０％となり、上部部材１４０の内側から上部部材１４０により反射する可視光の反射量（ｂ）は３．６％となる（３０％×５０％×（２０％＋４％））。この場合、入射量対反射量の比（ｂ／ａ）は１２％である。
【０１１８】
一方、上部部材１４０は、前述したコーティング層以外に、追加コーティング層をさらに含んでもよい。図７に示すように、カラー光学樹脂層１４０１に位置するアンチリフレクションコーティング層を第１のアンチリフレクションコーティング層１４０３とすると、カラー光学樹脂層１４０１とハーフミラーコーティング層１４０２との間に第２のアンチリフレクションコーティング層１４０４がさらに設けられてもよい。このような第２のアンチリフレクションコーティング層１４０４により、可視光の内部反射量（ｂ）がさらに減少する。
【０１１９】
また、ハーフミラーコーティング層１４０２の上面には、硬化コーティング層１４０５または指紋防止コーティング層１４０６がさらに設けられてもよい。
【０１２０】
一方、前述した実施形態においては、多重生体認証装置１００のハウジングが６つの部材からなるものについて説明したが、このような実施形態に限定されるものでないことは言うまでもない。例えば、図８に示すように、上部部材１４０と下部部材１５０がそれぞれ半球状になっており、これら上部部材１４０と下部部材１５０が直接締結されて１つのモジュールまたはハウジング形態を有するようにしてもよい。その他にも様々な構造が可能である。
【０１２１】
前述した多重生体認証装置を用いて出入システムを実現することができる。本発明による出入システムは、前述したホストシステムを有する多重生体認証装置と、そのホストシステムから識別されたユーザを選別して出入りさせるゲートとを含む。
【０１２２】
ここで、ゲートは、スイングドアやスライディングドアのようにユーザの出入りを物理的に統制できる手段であり、その構造及び形状が特に限定されるものでないことは前述した通りである。また、ホストシステムは、ユーザの身体が非接触状態で接近すると、当該身体から複数の生体データの入力を受ける生体データ入力部を有するが、その詳細は前述した通りである。
【０１２３】
前述した本発明の説明は例示のためのものであり、本発明の属する技術分野における通常の知識を有する者であれば、本発明の技術的思想や必須の特徴を変更することなく、他の具体的な形態に容易に変形できることを理解するであろう。よって、前述の実施形態はあくまで例示的なものであり、限定的なものでないことを理解すべきである。例えば、単一型で説明された各構成要素を分散して実施してもよく、同様に分散したものと説明された構成要素を結合された形態に実施してもよい。
【０１２４】
本発明の範囲は、添付の特許請求の範囲により示され、特許請求の範囲の意味及び範囲、並びにその均等概念から導かれるあらゆる変更または変形された形態も本発明に含まれるものと解釈すべきである。
【実施例】
【０１２５】
実施例は、前述した発明を実施するための形態に共に記載されている。
【産業上の利用可能性】
【０１２６】
本発明は、多重生体認証装置に関し、各種認証システムに適用することができ、反復可能性があるので、産業上の利用可能性がある。
【図１】
0006856204.tif 000002
【図２】
0006856204.tif 000003
【図３】
0006856204.tif 000004
【図４】
0006856204.tif 000005
【図５】
0006856204.tif 000006
【図６】
0006856204.tif 000007
【図７】
0006856204.tif 000008
【図８】
0006856204.tif 000009